(57)【要約】      （修正有）【課題】ペットのトリミング店や獣医などに設置可能な程度に小さなペットの小屋であって、大型のペットは広い部屋に中型以下のペットは小さく区切った部屋に、それぞれ個別に収容することが可能なペットの小屋を得ることにある。【解決手段】下部屋２と上部屋３を有するペットの小屋１とし、下部屋２及び上部屋３のペットの出入り口にそれぞれ観音開きの扉２７、２８を取り付け、ペットの出入り口から見て中央部にそれぞれ仕切２３、２５を取り付け可能な構成とする。さらに下部屋２又は上部屋３のいずれかに仕切を取り付けて半分の部屋にしたときは、左扉２７ａ、２８ａが左側の半分の部屋の片開きの扉となり、右扉２７ｂ、２８ｂが右側の半分の部屋の片開きの扉になるようにする。【選択図】図２
0003133027.tif 000002
【実用新案登録請求の範囲】
【請求項１】
上部屋と下部屋からなる上下２段の部屋を有するペットの小屋であって、前記上部屋及び前記下部屋においてペットの出入り口から見て中央部に、それぞれの部屋を分割する仕切を取り付け可能な構成とし、前記上部屋及び前記下部屋のペットの出入り口にそれぞれ観音開きの扉を設け、
前記上部屋又は前記下部屋のいずれかに前記仕切を取り付けたときには、前記観音開きの扉の左扉と右扉のそれぞれが、前記仕切で区切った半分の部屋の出入り口を開閉する、個別の片開きの扉となるように構成したことを特徴とするペットの小屋。
【請求項２】
請求項１に記載したペットの小屋であって、上部屋及び下部屋の中央下部にそれぞれレールを取り付け、前記上部屋及び前記下部屋の中央上部にそれぞれガイドを設け、仕切の下部を前記レールに載せ上部を前記ガイドに案内させ、前記仕切をスライドさせてペットの出入り口から挿入出する構成としたことを特徴とするペットの小屋。
【請求項３】
請求項１又は請求項２のいずれかに記載したペットの小屋であって、下部屋の高さが８００〜１０００ｍｍであって、上部屋における低い部分の高さが５００〜８００ｍｍであって、仕切を設けて半分に区切った場合に、半分の部屋の幅が５００〜６００ｍｍであることを特徴とするペットの小屋。
【請求項４】
請求項１〜請求項３のいずれかに記載したペットの小屋であって、上部屋及び下部屋の床にそれぞれトレー、多数の空間を有する床（以下単に「多孔床」という。）及び透水性のマットを設けたことを特徴とするペットの小屋。
【請求項５】
請求項４に記載したペットの小屋であって、上部屋及び下部屋の床にそれぞれ２個のトレーと透水性のマットを設け、仕切を取り付けたときに半分の部屋毎に個別のトレーと透水性のマットを有するように構成したことを特徴とするペットの小屋。
【考案の詳細な説明】
【技術分野】
【０００１】
本考案は、犬や猫などのペットを一時的に預かったり宿泊させたりする場合に、ペットのサイズに合わせた部屋に収納することによりペットに精神的な負担をかけず、スペースを効率よく使ってより多くのペットを収容することに関するものである。
【背景技術】
【０００２】
ペットのホテル、ペットのトリミング店、獣医などにおいて数多くのペットを一時的に預かったり宿泊させたりする場合には、顧客が複数のペットを連れてきて同じ部屋に収容することを希望する場合を除き、ペット同士のけんかを避けたり、ペット間における汚れや病気の伝染を防止したり、ペットに精神的な負担をかけないなどのために、ペット毎にそれぞれ個別に収容する必要がある。
このような目的に使用するために従来には、複数の動物収容ケージを上下２段に列設した犬猫類愛玩動物預り用施設の考案があった（例えば、特許文献１参照。）。しかしかかる考案は施設が大型になるため広いスペースがなければ設置することができず、通常のペットのトリミング店や獣医などには設置することができない問題があった。
また大型のペットに合わせて大きなサイズのケージを設けると、限られたスペースの中で多数のペットを収容することができず、中型のペットに合わせて中くらいのケージを設けると大型のペットを収容することができない問題があった。
これは大型のペットから小型のペットまで大きく差があることを考慮していないためであるが、ペットのサイズに合わせて複数の種類のケージを設けようとすると、ペットのサイズ毎に収容可能な数が制限されると共に、全体的に統一された美感を有する施設とすることが困難であった。
【特許文献１】実用新案登録第３０９９６３５号公報
【考案の開示】
【考案が解決しようとする課題】
【０００３】
本考案の目的とするところは、ペットのトリミング店や獣医などの限られた狭いスペースに設置可能なペットの小屋であって、ペットのホテルなどの広いスペースには複数のペットの小屋を並べて使用するものとし、並べて設置することが容易であって統一した美感を有するものを提供することにある。
さらに大型のペットは広い部屋に中型のペットは中くらいの部屋に、それぞれ個別に収容することを可能にして、効率的により多くのペットを収容することを可能にしたペットの小屋を提供することにある。
【課題を解決するための手段】
【０００４】
上下２段の部屋を有するペットの小屋とし、上下の部屋のペットの出入り口にそれぞれ観音開きの扉を取り付け、ペットの出入り口から見て上下の部屋の中央部にそれぞれ仕切を取り付け可能な構成とする。
そして、仕切を取り付けて半分の部屋にしたときは、観音開きの扉のうちの左扉が左側の半分の部屋の片開きの扉となり、観音開きの扉のうちの右扉が右側の半分の部屋の片開きの扉になるようにする。
【考案の効果】
【０００５】
本考案により小さなサイズのペットの小屋とすることができたので、ペットのトリミング店や獣医などの狭いスペースに置くことができると共に、ペットのホテルなどの広いスペースに設置する場合は、スペースに合わせて設置する数を増やすことが容易であって、複数個並べたときに統一した美感を得ることができた。
本考案のペットの小屋で大型のペット２匹を収容する場合は、上下の部屋の仕切を外して、上下の部屋にそれぞれ１匹ずつペットを収容することができる。また大型のペット１匹と中型以下のペット２匹を収納する場合は、上部屋又は下部屋のいずれかに仕切を取り付けて、仕切のない部屋に大型のペットを収容し、仕切を取り付けた半分の部屋にそれぞれ１匹ずつ中型以下のペットを収容することができる。さらに中型以下のペット４匹を収容する場合は、上部屋及び下部屋の両方に仕切を取り付けて、４つの半分の部屋にそれぞれ中型以下のペットを収容することができる。
このためペットに精神的な負担をかけずスペースを効率よく使い、より多くのペットを収容する効果が得られた。また収容するペットのサイズと数の変動に応じて、ペットを収容する部屋の数と大きさを臨機応変に変更することが可能になった。
【考案を実施するための最良の形態】
【０００６】
上部屋と下部屋からなる上下２段の部屋を有するペットの小屋であって、上部屋及び下部屋においてペットの出入り口から見て中央部に、それぞれの部屋を分割する仕切を取り付け可能な構成とし、上部屋及び下部屋のペットの出入り口にそれぞれ観音開きの扉を設け、上部屋又は下部屋のいずれかに仕切を取り付けたときには、観音開きの扉の左扉と右扉のそれぞれが、仕切で区切った半分の部屋の出入り口を開閉する、個別の片開きの扉となるように構成したペットの小屋とする。
ペットの小屋本体、仕切及び扉は、棒材や板材を並べて隙間を設けてなる面、網状の面、多孔の面などの開口の多い面としても、開口のない板などの面としても構わない。使用する材料としては木材、プラスチックさらには鉄やアルミやステンレスなどの金属を使用することが好ましい。
ペットの小屋を上下２段にしたのはスペースを効率よく使用するためである。大型のペットを収納するためには８００〜１０００ｍｍの高さがあればよく、中型のペットを収納するためには５００〜８００ｍｍの高さがあればよい。
従って上下の部屋の両方とも８００〜１０００ｍｍの高さとして、上部屋も下部屋も大型のペットを収容可能な構成とすることも好ましく、上下の一方の部屋を８００〜１０００ｍｍの高さとし他方の部屋を５００〜８００ｍｍの高さとして、高さの高い方の部屋を大型のペットを収容する部屋とし、低い方の部屋を大型〜中型及び中型以下のペットを収容する部屋とすることも好ましい。
仕切を取り付け可能にする方法には、仕切を部屋の中央に立てた状態にしてパッチン錠を使用して固定したり、ノブ付きのボルトやナットを使用して手回しでボルトやナットを締め付けて固定したり、仕切の下部を載せるレールと仕切の上部のガイドを取り付けて、出入り口側から仕切を挿入出する方法などが考えられる。
仕切を取り付けた状態にして、ペットの出入り口から見て左側の半分の部屋の出入り口に左開きの扉を取り付け、右側の半分の部屋の出入り口に右開きの扉を取り付け、それぞれを独立して開閉と施錠を可能にして取り付ければ、仕切を取り外したときには観音開きの扉を得ることができる。
【０００７】
上記したペットの小屋であって、上部屋及び下部屋の中央下部にそれぞれレールを取り付け、上部屋及び下部屋の中央上部にそれぞれガイドを設け、仕切の下部をレールに載せ上部をガイドに案内させ、仕切をスライドさせてペットの出入り口から挿入出する構成としたペットの小屋とする。
ペットの出入り口を利用して仕切を挿入出することにより、仕切を取り付けたり取り外したりするようにしたものである。
レールと仕切の下部の関係について、レールを凸形状にして仕切を凹状にする方法とレールを凹形状にして仕切を凸形状にする方法のいずれでも構わない。またガイドと仕切の上部との関係も、ガイドを凸形状にして仕切を凹状にする方法とガイドを凹形状にして仕切を凸形状にする方法のいずれでも構わない。
レールやガイドとしては木材、プラスチックさらには鉄やアルミ合金やステンレスなどの金属を使用することが好ましい。
上記したいずれかのペットの小屋であって、下部屋の高さが８００〜１０００ｍｍであって、上部屋における低い部分の高さが５００〜８００ｍｍであって、仕切を設けて半分に区切った場合に、半分の部屋の幅が５００〜６００ｍｍであるペットの小屋とする。また部屋の奥行きは７００〜８００ｍｍとすることが好ましい。
大型のペットは比較的重量が重いので下の部屋に収容するものとして、下部屋の高さを上部屋より高くし、上の部屋には大型〜中型及び中型以下のサイズのペットを収容するものとして、上部屋における低い部分の高さを下部屋より低くしたものである。
大型のペットの数に比べて中型以下のペットの数が多いことを考え、大型のペットを収容するときには下部屋を使用し、大型〜中型のペットを収容するときは上部屋と下部屋の両方を使用し、小型のペットを収容するときは上部屋と下部屋の両方を使用可能ではあるが、なるべく上部屋を使用するようにしたものである。
またペットを小屋に収容するときのペットを持ち上げる作業負担を軽減し、高さのスペースを有効に使って大型〜小型のペットを数多く収容可能にすると共に、半分の部屋に収容するペットに精神的な負担をかけない幅を確保したものである。
【０００８】
上記したいずれかのペットの小屋であって、上部屋及び下部屋の床にそれぞれトレー、多数の空間を有する床（以下単に「多孔床」という。）及び透水性のマットを設けたペットの小屋とする。
ペットの足が触れる面には透水性のマットを敷くことにより、ペットの足を傷つけることなく優しい肌触りの感触をもたらし、透水性のマットを多孔床で保持しながらペットの小水をトレーに落下させ、トレーを取り出すことにより小水を回収可能な構成にしたものである。
マットはペットの足に優しい肌触りを与えるものが好ましく、ペットの小水を下に流すため透水性を有するものとする。
多孔床は木材、プラスチックさらには鉄やアルミやステンレスなどの金属とすることが好ましく、簀の子、格子、網の面、多孔の面など多数の空間を有する形状の床とする。
トレーは木材、プラスチックさらには鉄やアルミやステンレスなどの器であって、ペットの小水を溜めることが可能な器とする。
また、上部屋及び下部屋の床にそれぞれ２個のトレーと透水性のマットを設け、仕切を取り付けたときに半分の部屋毎に個別のトレーと透水性のマットを有するように構成したペットの小屋とする。
仕切を取り付けて部屋を半分にしてペットを収納するときに、収納するペット毎に排せつする時がそれぞれ異なることから、透水性のマットを個別に交換したり、トレーを個別に取り出して清掃したり交換することを可能にしたものである。
【実施例１】
【０００９】
以下本考案の実施例１を図１及び図２に示し説明する。本実施例のペットの小屋１は４本の木材の支柱１０を木材の上梁１４と下梁１５で繋ぎ、左右の面にアクリル板の側板７を取り付け、後面にはアクリル板の後板８を取り付け、下面には木材の下床板１１を取り付け、上面には空気換気用のガラリ６を有する木材の屋根５を取り付け、前面を開放してペットの出入り口とした小屋である。
小屋の中段部には木材の中床板１２を設けて下部屋２と上部屋３に分け、下床板１１と中床板１２の上にはそれぞれステンレスの打ち抜き鉄板からなる多孔床１７を取り付け、木材のまくら梁１８を設けて下床板１１、中床板１２と多孔板１７の間にプラスチックのトレー１６を挿入出可能に取り付けた。また多孔板１７の中央部の上に木材のレール２０を設けて、レール２０の左右にそれぞれプラスチックの透水性のマット２１を置いた。
中床板１２の中央部の下側にガイド１２ａを設け、上部屋３の中央部の上部に木材のガイド梁２２を渡しその下側にもガイド２２ａを設けた。下部屋２及び上部屋３のそれぞれにはレール２０に仕切の凹部２３ｂ、２５ｂを載せ、仕切の凸部２３ａ、２５ａをガイド１２ａ、２２ａに入れて、木材の仕切２３、２５をペットの出入り口からスライドさせてそれぞれ挿入出可能に取り付けた。
【００１０】
前面には観音開きの下扉２７と観音開きの上扉２８を取り付け、取手３１を引くことにより左扉２７ａ、２８ａは蝶番３０を中心に左側に開き、右扉２７ｂ、２８ｂは蝶番３０を中心に右側に開き、互いに重なり合うことなく独立して個別に開閉可能、かつ、図示しない錠を取り付けて個別に施錠を可能な構成とした。
左扉２７ａ、２８ａと右扉２７ｂ、２８ｂはいずれもプラスチックの面の外周に木材の枠を取り付けたものとし、それぞれ個別に図示しない小穴を明けることにより、換気を可能とすると共にペットに対する買い主や係員の声がけを容易にした。
本実施例では下部屋２に敷いたマット２１の上面から中床板１２の下面までの高さを８００ｍｍとし、上部屋３に敷いたマット２１の上面から屋根の最下点までの高さを６４０ｍｍとして中央のガラリ６の下部で８４０ｍｍになる勾配を設けた。また仕切２３、２５を取り付けない場合の幅は１２００ｍｍの広さとし、仕切を取り付けた場合の半分の部屋の幅を５８０ｍｍの広さとした。そして奥行きは７５０ｍｍとした。
４本の支柱１０の下にはそれぞれキャスタ２６を取り付たため、設置するときや掃除する時などにペットの小屋１を容易に移動させることができる。
【００１１】
本実施例のペットの小屋１に大型のペットを収容するときは、観音開きの下扉２７の左扉２７ａと右扉２７ｂを開いて仕切２３を引き抜いて、下部屋２に１匹のペットを収容する。大型〜中型のペットを収容するときは下部屋２に収容することもできるが、観音開きの上扉２８の左扉２８ａと右扉２８ｂを開いて仕切２５を引き抜いて、上部屋３に１匹のペットを収容することもできる。
中型以下のペットを収納するときは、観音開きの下扉２７の左扉２７ａと右扉２７ｂをを開いて仕切２３を挿入し、下部屋２を半分にしてそれぞれの半分の部屋に個別にペットを収容することができる。また観音開きの上扉２８の左扉２８ａと右扉２８ｂを開いて仕切２５を挿入し、上部屋３を半分にしてそれぞれの半分の部屋にペットを収容することもできる。
以上のようにして使用すると本実施例のペットの小屋１では、大型〜中型のペットについては２匹のペットを個別に収容することが可能であり、中型以下のペットについては４匹のペットを個別に収容することが可能である。
また同じ買い主が多数のペットを連れてきて、同じ部屋に収納することを希望する場合は、仕切を取り外して多数のペットを同じ部屋に収容することができる。
そしてペットが大便をしたときには、透水性のマット２１を取り出してきれいな透水性のマットに交換することができる。ペットが小便をしたときには、小水は透水性のマット２１と多孔板１７を通過してトレー１６に溜まるので、トレー２１を引き出して小水を回収することができる。
また下部屋２と上部屋３の両方に仕切２３、２５を取り付けて個別にペットを収容する場合に合わせて、トレー１６と透水性のマット２１を個別に取り付けたので、任意の半分の部屋が汚れたときは、汚れたトレー１６や透水性のマット２１を個別に交換したり、汚れた半分の部屋だけを清掃することができる。
【産業上の利用可能性】
【００１２】
本発明はペットの宿泊サービスを提供する産業、トリミングサービスを提供する産業、及びペットの医療サービスを提供する産業だけでなく、ペット用の篭や小屋を製造販売する産業でも利用される。
【図面の簡単な説明】
【００１３】
【図１】ペット用の小屋の斜視図である。
【図２】ペット用の小屋の正面から見た断面図である。
【符号の説明】
【００１４】
１  ：ペットの小屋            ２  ：下部屋                ３  ：上部屋
５  ：屋根                    ６  ：ガラリ                ７  ：側板
８  ：後板                  １０  ：支柱                １１  ：下床板
１２  ：中床板                １２ａ：ガイド              １４  ：上梁
１５  ：下梁                  １６  ：トレー              １７  ：多孔床
１８  ：まくら梁              ２０  ：レール              ２１  ：透水性のマット
２２  ：ガイド梁              ２２ａ：ガイド              ２３  ：仕切
２３ａ：凸部                  ２３ｂ：凹部                ２５  ：仕切
２５ａ：凸部                  ２５ｂ：凹部                ２６  ：キャスタ
２７  ：観音開きの下扉        ２７ａ：左扉                ２７ｂ：右扉
２８  ：観音開きの上扉        ２８ａ：左扉                ２８ｂ：右扉
３０  ：蝶番                  ３１  ：取手
【図１】
0003133027.tif 000003
【図２】
0003133027.tif 000004